(57)【特許請求の範囲】
【請求項１】
「音声認識装置から有線もしくは無線を経て言葉の発音順に順次に送信されてくる当該の言葉のひらがなとしての一音素固有の電気信号に対応して所定の配列位置において一音素ごとに順次に発光位置を変えて点発光する複数の光点によって形成される光点表示装置の盤面」におけるその光点の配列として
イ、所定の位置における１個の光点の単独発光もしくは２個の光点の同時発光によって「  所定のひらがなの清音・撥音」を表示するために設定された「ひらがなの五十音配列に  従った四列五段からなる光点の配列」。
ロ、所定のひらがなの清音の光点との同時発光によって「所定のひらがなの半濁音・拗音  ・濁音」を表示し所定の光点の単独発光によって「促音・長音」を表示するために設定  された「イの光点の配列の側面に付随する一列五段からなる光点の配列」。
の２種類の光点の配列が成されていることを特徴とする音声光点表示器。
【発明の詳細な説明】
【発明の詳細な説明】
【技術分野】
【０００１】  本願発明は、
「『聴覚障害者』すなわち『耳のまったく聴こえない人もしくは強度に難聴である人』ではあるが『目の見える人』に対して『人が話す言葉』をひらがなとしての音素別に当該の音素に対応する光点４を順次に発光表示することによって視覚的に伝えること」を目的とした発明であり、
イ、「人が話す言葉の発音をひらがなとしての一音素ごとに識別認識し識別認識された当  該の言葉の一音素を当該の一音素固有の電気信号に変換し光点表示装置２に送信する機  能」を有する音声認識装置３。
ロ、「音声認識装置３から有線もしくは無線を経て言葉の発音順に従って順次に送信され  てくる電気信号に対応して連続的に点発光する光点４」で「異なる一音素ごとに発光位  置を変えて点発光する所定数の光点４」を所定の配列位置に配置した光点表示装置２。  の２種の装置の連携的作動によって、
「『人が話す言葉のひらがなとしての一音素に対応して点発光する光点４であって人が話す言葉の全音素数に対応しうる所定数の光点４』を所定の配列位置に配置し人が話す言葉に対応して一音素ごとに発光位置を変えて順次に点発光させることによって『人が話す言葉を視覚的に聴覚障害者に伝えること』を特徴とする音声光点表示器１」
に係る発明である。
【背景技術】
【０００２】  従来、聴覚障害者が「話者の言葉」を知るためには、
イ、「テレビ画面等における話者の言葉」に対しては、「字幕等の文字表記された文章を  読む」「読唇術で知る」。
ロ、「対面時における話者の言葉」に対しては、「同時進行の手話を読む」「読唇術で知  る」。
以外の方法はありえなかったし、これらのいずれの方法においても「話者の言葉の意味とりわけ専門用語・学術用語等からなる複雑な言葉の意味」を必ずしも発音通りに正確に理解できるとは限らなかった。
また、テレビ画面等における字幕を読む作業においては、視線の頻繁な左右移動もしくは上下移動を行なわねばならないことからも、聴覚障害者に多大の視覚的心理的負担を感じさせる欠点があった。
さらに、「電話の声等の非対面もしくは目前不在の話者の言葉」「公共の場所等における呼び掛けや伝達を行なう話者の言葉」に対しては、これを知る方法はありえなかった。
【先行技術文献】
【０００３】  出願人が特許庁のホームページの「Ｊ−ＰｌａｔＰａｔ」において、本願発明に類似もしくは近似すると考えられる先願事案を詳細に検索してみたが、該当する先願事案を見つけることはできなかった。
【０００４】  また、「本願発明に関連する非特許文献」をインターネット検索によって探してみたが適当な参考文献は見つからなかった。
【発明の概要】
【発明が解決しようとする課題】
【０００５】  従来「聴覚障害者が知ることができなかった話者の言葉」としての
「テレビ画面等における話者の言葉」「対面時における話者の言葉」「電話の声等の非対面もしくは目前不在の話者の言葉」「公共の場所等における呼び掛けや伝達を行なう話者の言葉」
に対して、話者の言葉としてのその「ひらがなの連続音としての音声」を音声認識装置３および光点表示装置２の連携的作動を介して「ひらがなとしての音素ごとに異なる位置において点発光する光点４の光」に変えることにより、「聴覚障害者が話者の言葉を視覚的に知ること」を課題とする。
【課題を解決するための手段】
【０００６】  本願発明は、
イ、「人が話す言葉の発音をひらがなとしての一音素ごとに識別認識し識別認識された当  該の言葉の一音素を当該の一音素固有の電気信号に変換し光点表示装置２に送信する機  能」を有する音声認識装置３。
ロ、「音声認識装置３から有線もしくは無線を経て言葉の発音順に従って順次に送信され  てくる電気信号に対応して連続的に点発光する光点４」で「異なる一音素ごとに発光位  置を変えて点発光する所定数の光点４」を所定の配列位置に配置した光点表示装置２。  の２種の装置の連携的作動によって、
「『人が話す言葉のひらがなとしての一音素に対応して点発光する光点４であって人が話す言葉の全音素数に対応しうる所定数の光点４』を所定の配列位置に配置し人が話す言葉に対応して一音素ごとに発光位置を変えて順次に点発光させることによって『人が話す言葉を視覚的に聴覚障害者に伝えること』を特徴とする音声光点表示器１」であって、
１、「テレビ等における話者の言葉」に対しては、「音声光点表示器１における光点４の  配列画面」を例えばテレビ画面の右下位置等の適宜の位置に画面表示し「所定の光点４  」を順次に発光作動させることによって、
２、「対面時における話者の言葉」に対しては、「携帯音声光点表示器における光点４の  配列画面の所定の光点４」を聴覚障害者の目前において順次に発光作動させることによ  って、
３、「電話等の話者の言葉」に対しては、「音声光点表示器１における光点４の画面を有  する機器」を電話機等に付属させ聴覚障害者の目前において「所定の光点４」を順次に  発光作動させることによって、
４、「非対面もしくは目前不在の話者の言葉」に対しては、「携帯音声光点表示器におけ  る光点４の配列画面の所定の光点４」を聴覚障害者の目前において順次に発光作動させ  ることによって、
５、「公共の場所等における呼び掛けや伝達を行なう話者の言葉」に対しては、「携帯音  声光点表示器における光点４の配列画面の所定の光点４」を聴覚障害者の目前において  順次に発光作動させることによって、
それぞれ、聴覚障害者に「当該の話者の言葉」を視覚的に認識させ理解させるものであり、その詳細な認識方法・理解方法については、後述の「『発明を実施するための形態』における『実施例』」において説明するとおりである。
ただし、『携帯音声光点表示器』とは、「聴覚障害者における携帯に適した大きさと形状を有する音声光点表示器１」をいう。
【発明の効果】
【０００７】  本願発明により、聴覚障害者は、
１、「テレビ等における話者の言葉」に対しては、テレビ等の画面に表示された「音声光  点表示器１の画面」を見ることによって、
２、「対面時における話者の言葉」に対しては、目前の「携帯音声光点表示器の画面」を  見ることによって、
３、「電話等の話者の言葉」に対しては、電話機等に付属させた機器の「音声光点表示器  １の画面」を見ることによって、
４、「非対面もしくは目前不在の話者の言葉」に対しては、目前の「携帯音声光点表示器  の画面」を見ることによって、
５、「公共の場所等における呼び掛けや伝達を行なう話者の言葉」に対しては、目前の「  携帯音声光点表示器の画面」を見ることによって、
それぞれ、「当該の話者の言葉」を視覚的に理解する効果が得られるものである。
【図面の簡単な説明】
【０００８】
【図１】図１は、「音声光点表示器１の斜視図」である。
【図２】図２は、「音声光点表示器１の盤面における光点４の配列図」である。
【発明を実施するための形態】
【０００９】  本願発明は、
「『聴覚障害者』すなわち『耳のまったく聴こえない人もしくは強度に難聴である人』ではあるが『目の見える人』に対して『人が話す言葉』をひらがなとしての音素別に当該の音素に対応する光点４を順次に発光表示することによって視覚的に伝えることを目的とした音声光点表示器１」であり、
「『人が話す言葉のひらがなとしての一音素に対応して点発光する光点４であって人が話す言葉の全音素数に対応しうる所定数の光点４』を所定の配列位置に配置し人が話す言葉に対応して一音素ごとに発光位置を変えて順次に点発光させることによって『人が話す言葉を視覚的に聴覚障害者に伝えること』を特徴とする音声光点表示器１」である。
【００１０】  したがって、その実施例は「以下の［実施例１］」のとおりとなる。
【実施例１】
【００１１】  「音声光点表示器１の画面における光点４の配列」に関しては、
「『図２』の（１）〜（６）」で表示するような「ひらがなの五十音配列に従った光点４の配列」としての
イ、「四列五段からなる光点４の配列」であって「所定の位置における１個の光点４の単  独発光もしくは２個の光点４の同時発光によって『所定のひらがなの清音・撥音』を表  示するための光点４の配列」。
ロ、「イの光点４の配列の側面に付随する一列五段からなる光点４の配列」であって「所  定のひらがなの清音の光点４との同時発光によって『所定のひらがなの半濁音・拗音・  濁音』を表示し所定の光点４の単独発光によって『促音・長音』を表示するための光点  ４の配列」。
の２種類の光点４の配列によって構成されているが、
「それぞれの光点４におけるひらがな表示機能の詳細」を「『図２』の（１図）〜（６図）」に従って説明すると、以下の１〜１１のとおりとなる。【００１２】１、（１図）は、左の列から「第一列が『はひふへほ』」「第二列が『たちつてと』」「  第三列が『さしすせそ』」「第四列が『かきくけこ』」を表示する光点４の配列図であ  る。
イ、「は・ひ・ふ・へ・ほ・た・ち・つ・て・と・さ・し・す・せ・そ・か・き・く・    け・こ」の発光表示は、「該当の光点４の１光点」が単独で発光することによって表    示される。
２、（２図）は、左の列から「第三列と第四列が『あいうえお』」を表示する光点４の配  列図である。
イ、「あ・い・う・え・お」の発光表示は、「該当の同字の光点４の２光点」が同時に    発光することによって表示される。
３、（３図）は、左の列から「第二列と第三列が『なにぬねの』」を表示する光点４の配  列図である。
イ、「な・に・ぬ・ね・の」の発光表示は、「該当の同字の光点４の２光点」が同時に    発光することによって表示される。
４、（４図）は、左の列から「第一列と第二列が『まみむめも』」を表示する光点４の配  列図である。
イ、「ま・み・む・め・も」の発光表示は、「該当の同字の光点４の２光点」が同時に    発光することによって表示される。
５、（５図）は、左の列から「第二列と第四列が『やゆよわん』」を表示する光点４の配  列図である。
イ、「や・ゆ・よ・わ・ん」の発光表示は、「該当の同字の光点４の２光点」が同時に    発光することによって表示される。
６、（６図）は、左の列から「第一列と第三列が『らりるれろ』」を表示する光点４の配  列図である。
イ、「ら・り・る・れ・ろ」の発光表示は、「該当の同字の光点４の２光点」が同時に    発光することによって表示される。【００１３】７、「濁音としての『ばびぶべぼ・だぢづでど・ざじずぜぞ・がぎぐげご』」の発光表示  に関しては、（１図）を参照図として、以下のように決定される。
イ、「ば」は「は・Ａ」、「び」は「ひ・Ｂ」、「ぶ」は「ふ・Ｃ」、「べ」は「へ・    Ｄ」、「ぼ」は「ほ・Ｅ」、のそれぞれの２光点が同時に発光することによって表示    される。
ロ、「だ」は「た・Ａ」、「ぢ」は「ち・Ｂ」、「づ」は「つ・Ｃ」、「で」は「て・    Ｄ」、「ど」は「と・Ｅ」、のそれぞれの２光点が同時に発光することによって表示    される。
ハ、「ざ」は「さ・Ａ」、「じ」は「し・Ｂ」、「ず」は「す・Ｃ」、「ぜ」は「せ・    Ｄ」、「ぞ」は「そ・Ｅ」、のそれぞれの２光点が同時に発光することによって表示    される。
ニ、「が」は「か・Ａ」、「ぎ」は「き・Ｂ」、「ぐ」は「く・Ｃ」、「げ」は「け・    Ｄ」、「ご」は「こ・Ｅ」、のそれぞれの２光点が同時に発光することによって表示    される。
８、「半濁音としての『ぱぴぷぺぽ』」の発光表示に関しては、（３図）を参照図として  、以下のように決定される。
イ、「ぱ」は「な・な・Ａ」、「ぴ」は「に・に・Ｂ」、「ぷ」は「ぬ・ぬ・Ｃ」、「    ぺ」は「ね・ね・Ｄ」、「ぽ」は「の・の・Ｅ」、のそれぞれの３光点が同時に発光    することによって表示される。
９、「拗音としての『ぁぃぅぇぉ・ゃゅょ』」の発光表示に関しては、（２図）および（  ５図）を参照図として、以下のように決定される。
イ、「ぁ」は「あ・あ・Ａ」、「ぃ」は「い・い・Ｂ」、「ぅ」は「う・う・Ｃ」、「    ぇ」は「え・え・Ｄ」、「ぉ」は「お・お・Ｅ」、のそれぞれの３光点が同時に発光    することによって表示される。
ロ、「ゃ」は「や・や・Ａ」、「ゅ」は「ゆ・ゆ・Ｂ」、「ょ」は「よ・よ・Ｃ」、の    それぞれの３光点が同時に発光することによって表示される。
１０、「促音としての『っ』」の発光表示に関しては、以下のように決定される。
イ、「Ｄの１光点」が単独で発光することによって表示される。
１１、「長音としての『ー』」の発光表示に関しては、以下のように決定される。
イ、「Ｅの１光点」が単独で発光することによって表示される。【００１４】１２、ただし、各光点４の視覚的識別を容易とするために、
イ、「第一列の５種の光点４の色」は「青色」とする。
ロ、「第二列の５種の光点４の色」は「白色」とする。
ハ、「第三列の５種の光点４の色」は「緑色」とする。
ニ、「第四列の５種の光点４の色」は「黄色」とする。
ホ、「第五列の５種の光点４の色」は「赤色」とする。【００１５】  「話者の言葉に対応しての『音声光点表示器１の２５種の光点４における点発光』の様相に関する実施例の一例」としては、以下の「１におけるイ〜リ」のとおりである。
１、「話者における『ピッチングフォーム』という言葉」に対しては、以下のイ〜リのよ  うに「該当の光点４」が単独でもしくは同時に順次発光する。
イ、「『ぴ』の発音」に対しては、「『ひ』と『Ｂ』の２光点」が同時に発光する。
ロ、「『っ』の発音」に対しては、「『Ｄ』の１光点」が単独で発光する。
ハ、「『ち』の発音」に対しては、「『ち』の１光点」が単独で発光する。
ニ、「『ん』の発音」に対しては、「『ん』と『ん』の２光点」が同時に発光する。
ホ、「『ぐ』の発音」に対しては、「『く』と『Ｃ』の２光点」が同時に発光する。
ヘ、「『ふ』の発音」に対しては、「『ふ』の１光点」が単独で発光する。
ト、「『ぉ』の発音」に対しては、「『お』と『お』と『Ｅ』の３光点」が同時に発光    する。
チ、「『ー』の発音」に対しては、「『Ｅ』の１光点」が単独で発光する。
リ、「『む』の発音」に対しては、「『む』と『む』の２光点」が同時に発光する。【００１６】２、聴覚障害者は、「テレビ画面等に表示された音声光点表示器１の画面もしくは目前の  携帯音声光点表示器の画面における光点４の上記のイ〜リの連続発光」を視認すること  によって話者における「ピッチングフォームという言葉」を視覚的に理解することがで  き、本願発明の機能と効果を得ることができる。【００１７】３、昨今の電子機器部品の著しい能力的進化から、音声認識装置３における発音識別精度  については今後もさらに向上することは確実であり、当然、将来時点においては「本願  発明における音声表現機能の精密性・正確性・高速性」もいっそう向上し「聴覚障害者  に対する音声伝達機器としての信頼性・利便性」も十二分に確立されるはずである。
４、もとより、聴覚障害者が「音声光点表示器１の画面において順次に位置を変えて発光  する光点４の点発光」を見て話者の言葉を自在かつ十分に理解するためには、事前に相  応の読み取り訓練を行なっておくことは絶対的に必要であり、話者における早口言葉に  も対応できる程度の読み取り作業に習熟しておく必要があることは言うまでもないこと  である。
【産業上の利用可能性】
【００１８】  本願発明は、聴覚障害者における言語理解・音声理解に対して多大の効果を提供するものであり、産業上およびまた聴覚障害者福祉の必要性からもその利用可能性は極めて大である。
【符号の説明】
【００１９】１は、音声光点表示器。
２は、光点表示装置。
３は、音声認識装置。
４は、光点。
【要約】
【課題】「目が見える聴覚障害者」に話者の言葉を視覚的に理解させる。
【解決手段】「テレビ画面等に表示される音声光点表示器１もしくは聴覚障害者が保持する携帯音声光点表示器」であって「話者の言葉におけるひらがなとしての１音素ごとに対応して所定の位置で点発光する光点４をその画面に配列した音声光点表示器１」において、「音声認識装置より送信されてくる電子信号としての話者の言葉に対応して順次に発光する画面の光点４の点発光」を聴覚障害者が「ひらがなの連続音声すなわち言葉もしくは文章」として読み取ることにより、話者の言葉を視覚的に理解できるようにする。
【選択図】図１【図１】
0006682128.tif 000002
【図２】
0006682128.tif 000003